(57)【要約】  【課題】電子名刺等の第１の閲覧情報の配布を契機として関連する閲覧情報を提供する。  【解決手段】名刺情報管理サイト１０、携帯電話機２０がインターネット３０に接続されている。配布元の携帯電話機２０が名刺帳アプリケーションを起動し、配布先のメールアドレスを引数として配布メール送信要求を名刺情報管理サイト１０に送信する。名刺情報管理サイト１０は名刺ＩＤを含むキーを暗号化して内包するＵＲＬを名刺配布メールで配布先の携帯電話機２０に送信する。配布先携帯電話機２０は名刺配布メールを受信してＵＲＬを用いて名刺情報管理サイト１０から名刺画像を取得し、さらに名刺画像から暗号化された防護識別情報を抽出して、これを引数として詳細ページの送信要求を名刺情報管理サイト１０に送信する。名刺情報管理サイト１０は暗号化防護識別情報を復号して対応する詳細情報を取り出し配布先携帯電話機に送信する。【選択図】図１
2011060200.tif 000002
【特許請求の範囲】
【請求項１】
通信ネットワークで接続可能な情報閲覧端末装置と閲覧情報提供サーバ装置とからなり、
上記情報閲覧端末装置は、
第１の閲覧情報を取得する第１閲覧情報取得手段と、
取得した上記第１の閲覧情報から抽出した識別情報を用いて第２の閲覧情報を取得する要求を上記閲覧情報提供サーバ装置に送信して上記閲覧情報提供サーバ装置から上記第２の閲覧情報を取得する第２閲覧情報取得手段と、
上記第１の閲覧情報および上記第２の閲覧情報の少なくとも一部を表示する表示手段とを有し、
上記閲覧情報提供サーバ装置は、
上記第２の閲覧情報を記憶する記憶手段と、
上記端末装置から上記要求を受け取って上記第２の閲覧情報を上記情報閲覧端末装置に送信する手段とを有することを特徴とする情報閲覧システム。
【請求項２】
上記閲覧情報提供サーバ装置の上記記憶手段は上記第１の閲覧情報をさらに記憶し、
上記情報閲覧端末装置の第１閲覧情報取得手段は、上記第１の閲覧情報を取得するための要求を上記閲覧情報提供サーバ装置に送信して上記閲覧情報提供サーバ装置から上記第１の閲覧情報を取得する請求項１記載の情報閲覧システム。
【請求項３】
上記情報閲覧端末装置の第１閲覧情報取得手段は、通信路を介して接続される相手側の情報閲覧端末装置から上記第１の閲覧情報を取得する請求項１記載の情報閲覧システム。
【請求項４】
上記第１の閲覧情報は画像データを含み、上記識別情報は上記画像データに含まれる請求項１〜３のいずれかに記載の情報閲覧システム。
【請求項５】
上記画像データは名刺を表す画像データである請求項１〜４のいずれかに記載の情報閲覧システム。
【請求項６】
上記情報閲覧端末装置は携帯電話機である請求項１〜５のいずれかに記載の情報閲覧システム。
【請求項７】
第１の閲覧情報から抽出した識別情報を用いて特定可能な第２の閲覧情報を記憶する閲覧情報提供サーバ装置から通信ネットワークを介して上記第２の閲覧情報を取得する情報閲覧端末装置において、
上記第１の閲覧情報を取得する第１閲覧情報取得手段と、
取得した上記第１の閲覧情報から抽出した識別情報を用いて上記第２の閲覧情報を取得する要求を上記閲覧情報提供サーバ装置に送信して上記閲覧情報提供サーバ装置から上記第２の閲覧情報を取得する第２閲覧情報取得手段と、
取得した上記第１の閲覧情報および上記第２の閲覧情報の少なくとも一部を表示する表示手段とを有することを特徴とする情報閲覧端末装置。
【請求項８】
第１の閲覧情報および上記第１の閲覧情報から抽出した識別情報を用いて特定可能な第２の閲覧情報を記憶する記憶手段と、
上記第１の閲覧情報を取得するための第１の閲覧要求を通信ネットワークを介して上記情報閲覧端末装置から受け取って上記第１の閲覧情報を上記記憶手段から読み出して上記情報閲覧端末装置に送信する手段と、
上記第２の閲覧情報を取得するための第２の要求を上記通信ネットワークを介して上記情報閲覧端末装置から受け取って上記第２の閲覧情報を上記記憶手段から読み出して上記情報閲覧端末装置に送信する手段とを有することを特徴とする閲覧情報提供サーバ装置。
【請求項９】
第１の閲覧情報から抽出した識別情報を用いて特定可能な第２の閲覧情報を記憶する閲覧情報提供サーバ装置に通信ネットワークを介して接続可能な情報閲覧端末装置に含まれるコンピュータを、
上記第１の閲覧情報を取得する第１閲覧情報取得手段、
取得した上記第１の閲覧情報から抽出した識別情報を用いて上記第２の閲覧情報を取得する要求を上記閲覧情報提供サーバ装置に送信して上記閲覧情報提供サーバ装置から上記第２の閲覧情報を取得する第２閲覧情報取得手段、および
取得した上記第１の閲覧情報および上記第２の閲覧情報の少なくとも一部を表示する表示手段として機能させることを特徴とする情報閲覧用コンピュータプログラム。
【発明の詳細な説明】
【技術分野】
【０００１】
この発明は、情報閲覧システム、閲覧情報提供サーバ装置、および情報閲覧端末装置、ならびに情報閲覧用コンピュータプログラムに関する。
【背景技術】
【０００２】
名刺等を電子化して端末装置間やネットワークを介してやりとりすることが提案されている。例えば、特許文献１は、携帯電話機等の端末を用いてサーバ装置を利用し、あるいは、赤外線通信機能を用いて相手の端末に電子名刺を送信し、また更新情報を送信することを開示している。また特許文献２は、名刺データのデータベースを設けて複数のユーザが名刺データを共用することを開示している。
【０００３】
ところで、電子名刺の配布を契機として配布先の相手に対して関連情報を提供することができれば、便利である。
【０００４】
上述の先行技術は、この発明の背景の一部を説明するためにのみ説明している。この発明は上述の先行技術等に限定されるものではない点に留意されたい。
【先行技術文献】
【特許文献】
【０００５】
【特許文献１】特開２００４−１８６９３６号公報
【特許文献２】特開２００９−１９９３４６号公報
【発明の概要】
【発明が解決しようとする課題】
【０００６】
この発明は上述の事情を考慮してなされたものであり、電子名刺等の第１の閲覧情報の配布を契機として関連する閲覧情報を提供する情報閲覧技術を提供することを目的としている。
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
この構成においては、情報閲覧システムを、通信ネットワークで接続可能な情報閲覧端末装置と閲覧情報提供サーバ装置とから構成し、上記情報閲覧端末装置には：第１の閲覧情報を取得する第１閲覧情報取得手段と；取得した上記第１の閲覧情報から抽出した識別情報を用いて第２の閲覧情報を取得する要求を上記閲覧情報提供サーバ装置に送信して上記閲覧情報提供サーバ装置から上記第２の閲覧情報を取得する第２閲覧情報取得手段と；上記第１の閲覧情報および上記第２の閲覧情報の少なくとも一部を表示する表示手段とを設け、上記閲覧情報提供サーバ装置には：上記第２の閲覧情報を記憶する記憶手段と；上記端末装置から上記要求を受け取って上記第２の閲覧情報を上記情報閲覧端末装置に送信する手段とを設けている。
【０００９】
情報閲覧端末装置は典型的には携帯電話機等の携帯端末上のアプリケーションとして実現されるが、これに限定されない。通常のパーソナルコンピュータのアプリケーションとして実現されてもよいし、情報閲覧用の専用装置として実現されてもよい。閲覧情報提供サーバ装置は、単一のコンピュータで実装しても良いし、複数のコンピュータを組みあわせて実装しても良い。
【００１０】
この構成においては、第１の閲覧情報の配布を契機として第２の閲覧情報を提供できる。第１の閲覧情報の配布と第２の閲覧情報の提供とを個別に行うので、例えば、第１の閲覧情報をオープンに提供し、第２の閲覧情報を公開レベルや閲覧者にあわせて変更可能に提供できるが、これに限定されない。
【００１１】
例えば、上記閲覧情報提供サーバ装置の上記記憶手段は、上記第１の閲覧情報をさらに記憶し、上記情報閲覧端末装置の第１閲覧情報取得手段は、上記第１の閲覧情報を取得するための要求を上記閲覧情報提供サーバ装置に送信して上記閲覧情報提供サーバ装置から上記第１の閲覧情報を取得するが、これに限定されない。
【００１２】
また、例えば、上記情報閲覧端末装置の第１閲覧情報取得手段は、通信路を介して接続される相手側の情報閲覧端末装置から上記第１の閲覧情報を取得してもよい。
【００１３】
好ましくは、上記第１の閲覧情報は画像データを含み、上記識別情報は上記画像データに含まれる。識別情報は、暗号化されていることが好ましい。
【００１４】
上記画像データの例は名刺を表す画像データであってよい。上記画像データ、その他、第１の閲覧情報は、サービスや物品や情報や金銭等の提供を表象するものであってよく、ちらし、クーポン、店舗の案内、会員カード、ポイントカード、あるいは、新聞等の情報、株価の情報、占い・診断等を表象する閲覧情報であって良いが、これに限定されない。
【００１５】
上記情報閲覧端末装置は典型的には携帯電話機である。
【００１６】
また、この発明によれば、第１の閲覧情報から抽出した識別情報を用いて特定可能な第２の閲覧情報を記憶する閲覧情報提供サーバ装置から通信ネットワークを介して上記第２の閲覧情報を取得する情報閲覧端末装置に：上記第１の閲覧情報を取得する第１閲覧情報取得手段と；取得した上記第１の閲覧情報から抽出した識別情報を用いて上記第２の閲覧情報を取得する要求を上記閲覧情報提供サーバ装置に送信して上記閲覧情報提供サーバ装置から上記第２の閲覧情報を取得する第２閲覧情報取得手段と；取得した上記第１の閲覧情報および上記第２の閲覧情報の少なくとも一部を表示する表示手段とを設けるようにしている。
【００１７】
また、この発明によれば、閲覧情報提供サーバ装置に：第１の閲覧情報および上記第１の閲覧情報から抽出した識別情報を用いて特定可能な第２の閲覧情報を記憶する記憶手段と；上記第１の閲覧情報を取得するための第１の閲覧要求を通信ネットワークを介して上記情報閲覧端末装置から受け取って上記第１の閲覧情報を上記記憶手段から読み出して上記情報閲覧端末装置に送信する手段と；上記第２の閲覧情報を取得するための第２の要求を上記通信ネットワークを介して上記情報閲覧端末装置から受け取って上記第２の閲覧情報を上記記憶手段から読み出して上記情報閲覧端末装置に送信する手段とを設けている。
【００１８】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１９】
この発明の上述の側面および他の側面は特許請求の範囲に記載され、以下、実施例等を用いて詳述される。
【発明の効果】
【００２０】
この発明によれば、電子名刺等の第１の閲覧情報の配布を契機として関連する閲覧情報を提供することが可能になる。
【図面の簡単な説明】
【００２１】
【図１】この発明の実施例の情報閲覧システムを全体として示すシステム図である。
【図２】上述実施例の名刺情報データベースのエントリの例を示す図である。
【図３】上述実施例の配布情報データベースのエントリの例を示す図である。
【図４】上述実施例の携帯電話機の構成例を説明するブロック図である。
【図５】上述実施例の名刺作成処理を説明するフローチャートである。
【図６】上述実施例の名刺作成処理を説明する説明図である。
【図７】上述実施例の名刺作成処理を説明する説明図である。
【図８】上述実施例の名刺作成処理で作成された名刺および詳細ページを説明する説明図である。
【図９】上述実施例の電子メールによる名刺配布処理を説明するフローチャートである。
【図１０】上述実施例の赤外線通信による名刺配布処理を説明するフローチャートである。
【図１１】上述実施例の名刺配布処理を説明する説明図である。
【図１２】上述実施例の名刺配布処理を説明する説明図である。
【図１３】名刺配布に用いるＵＲＬを説明する図である。
【図１４】名刺画像および詳細ページの更新処理例を説明する図である。
【発明を実施するための形態】
【００２２】
以下、この発明の実施例の情報閲覧システムについて説明する。
【００２３】
なお、以下では、閲覧情報を名刺およびこれに関連付けられた詳細ページとするけれども、種々の閲覧情報を対象にでき、これに限定されないが、写真等の画像、店舗情報、サービス情報、商品情報、クーポン、特売情報、ちらし、広告等ならびにこれらにそれぞれ関連付けられた詳細情報等を閲覧情報とすることができる。
【００２４】
図１は、この発明の実施例の情報閲覧システムを全体として示しており、この図において、名刺情報管理サイト１０、ウェブ閲覧・メール閲覧機能付き携帯電話機２０・・・２０等がインターネット３０に接続されている。より具体的には、携帯電話機２０はパケット網４０および移動体電話センタ５０を介してインターネット３０に接続されている。移動体加入者網についてはとくに図では示していないが、通話等で適宜利用される。
【００２５】
この例において、名刺情報管理サイト１０は、ユーザが携帯電話機２０（任意の携帯情報端末、パーソナルコンピュータ、情報機器であってもよい）を用いて名刺作成支援、名刺情報（名刺、名刺画像ともいう）の管理、名刺に関連付けられた詳細情報（詳細ページともいう）の管理、ブログサービスの提供等を行うものである。名刺情報および詳細情報の管理にはそれらの配布処理も含まれる。これら処理については後に詳述する。
【００２６】
名刺情報管理サイト１０は、ウェブサーバ１０１、アプリケーションサーバ１０２、データベース管理システム１０３、閲覧情報保存サーバ１０４、ルータ１０５等を有している。これらコンピュータリソースはＬＡＮ１０６に接続されている。各種サーバはそれぞれ個別のコンピュータに実装されても良いし、少なくとも一部のサービスをひとまとめにして１のコンピュータに実装しても良い。
【００２７】
ウェブサーバ１０１は、ＨＴＴＰ（ハイパーテキストトランスファプロトコル）プロトコルに従ってユーザ端末（携帯電話機２０や他のユーザ端末）から要求を受け取り、要求に応じたＨＴＭＬ文書（ＸＭＬ文書）１０１ａをクライアントに転送する。ＨＴＭＬ文書として例えば名刺作成用ウェブページ、名刺送信（配布）用ウェブページ、名刺帳アプリケーションダウンロード用ウェブページ、各種設定用のウェブページ等を保持している。各ウェブページはＰＨＰ等で記述されたプログラムモジュールを含んでよい。アプリケーションサーバ１０２は、ウェブサーバ１０１を介してユーザ端末から送られたプログラム名および引数（ＵＲＬ：ユニフォームリソースロケータ）に基づいて種々の処理を実行するものである。この処理には、名刺情報等の配布を要求する配布要求を処理する配布要求処理部１０２ａ、名刺情報を名刺情報データベース１０７に登録する名刺情報登録部１０２ｂ、配布情報を配布情報データベース１０８に登録する配布情報登録部１０２ｃ等が含まれる。アプリケーションサーバ１０２にかえてウェブサーバ１０１のＣＧＩ（コモンゲートインタフェース）のプログラムやウェブページ中にインタープリタ言語で記述されたプログラムを用いてもよい。データベース管理システム１０３は、名刺情報およびその配布に関連する種々のデータベースを管理するものである。データベースは、例えば、名刺情報データベース１０７、配布情報データベース１０８等である。
【００２８】
データベース管理システム１０３が管理する名刺情報データベース１０７は、例えば、図２に示すように、名刺ごとに一意の名刺ＩＤ、ユーザＩＤ（ユーザを一意に識別する識別情報。典型的には移動体電話網運営会社が割り当てるユーザＩＤまたは機体番号であるがこれに限定されない）、詳細情報のアドレス、名刺の画像データのアドレス、名刺または詳細情報の更新情報等を保持するものである。１のユーザＩＤに複数の名刺ＩＤを割り当てても良い。名刺情報の各エントリは名刺（詳細ページ）が作成されるたびに名刺情報登録部１０２ｂにより登録される。配布情報データベース１０８は、図３に示すように、名刺ＩＤ、配布先ユーザＩＤ、配布先メールアドレス（不知の場合を含む）、公開レベル（未定の場合を含む）等を保持するものである。配布情報の各エントリは名刺（詳細ページ）が配布されるたびに配布情報登録部１０２ｃにより登録される。
【００２９】
ウェブサーバ１０１、アプリケーションサーバ１０２、データベース管理システム１０３を用いて具体的な閲覧情報管理システムの機能（配布要求処理部１０２ａ、名刺情報登録部１０２ｂ、配布情報登録部１０２ｃ等）が実現される。これらの機能については後に詳述する。
【００３０】
移動体電話センタ５０は、移動体電話網運営会社により設けられるものであり、移動体電話網運営会社のパケット網４０とインターネット３０との間のインタフェースを実現するゲートウェイ５０１やメールサーバ５０２を有している。メールサーバ５０２は、メール転送やメールダウンロードの機能を実現するとともに、固有の機能も提供している。この例のメールサーバ５０２は、メールサーバ５０２のメールアカウントに送られてきたメールを原則としてパケット網４０を介して携帯電話機２０に自動的に転送する機能５０２ａを有している。
【００３１】
携帯電話機２０は、基地局および移動体電話網（図示しない）を介して他の電話機と通話を行うことができ、さらに、基地局、パケット網４０、移動体電話センタ５０を介してインターネット３０にアクセスしてウェブの閲覧等を行なえる。
【００３２】
図４は、ユーザ端末の一例としての携帯電話機２０を全体として示しており、この図において、携帯電話機２０は、ＣＰＵ２１０、ＲＡＭ２１１、ＲＯＭ２１２、メモリカードインタフェース２２１、キーボードを含む入力部２１３、液晶パネルを含む表示部２１４、音声処理部２１５、データ処理部２１６、アンテナを含む無線送受信部２１７、マイクロホン／スピーカ２１８、バスシステム２１９等を含んで構成される。
【００３３】
マイクロホン／スピーカ２１８、音声処理部２１５、および無線送受信部２１７により通話が実現される。データ処理部２１６はブラウザやメール処理等の各種の処理に伴う付随的なデータ処理を行う。入力部２１３のキーボード等を用いて電話番号やテキストの入力、後述する名刺作成、名刺等の配布処理、名刺等の受信等のメニュー操作、指示操作、テキスト入力、その他の指示入力が行われる。これら入力は表示部２１４がタッチパネル機能を伴うときにはこれを用いて行っても良い。表示部２１４の液晶パネルはテキスト、マークアップ言語で記述されたページ、画像等の表示を行う。ＣＰＵ２１０はＲＡＭ（主メモリ）２１１とともにオペレーティングシステム等のシステムプログラムやミドルウェアプログラムやアプリケーションプログラムを実行する。アプリケーションプログラム（アプリケーションと呼ぶこともある）２２０はファイルシステム（図示しない）を用いてメモリカード２２１ＡやＲＡＭ２１１等をアクセスする。ＲＯＭ１２は典型的にはフラッシュメモリであり、ブートプログラム、オペレーティングシステム、ミドルウェアプログラム、アプリケーションプログラム、その他各種データを記憶する。ミドルウェアプログラム、アプリケーションプログラム、その他各種データは、メモリカード２００に記憶されてもよい。ファイルシステムは任意のものでよく、典型的にはＦＡＴ１６またはＦＡＴ３２であり、メモリカード２２１Ａはそれに対応した構造体を含む。典型的にはメモリカード２２１ＡやＲＯＭ２１２等のアプリケーションプログラムが名刺情報や詳細ページを閲覧するアプリケーションプログラム（名刺帳アプリケーションともよぶ）を実現する。
【００３４】
名刺取得部２２０ａは自己あてに配布された、あるいは自らダウンロードした名刺情報を取得して記憶部（ＲＡＭ２１１、ＲＯＭ（フラッシュメモリ）２１２、メモリカード２２１Ａ）に保管するものである。詳細情報取得部２２０ｂは、名刺情報に関連付けられた詳細情報（詳細ページ）を、名刺情報に埋め込まれた暗号化された防護識別情報（後に詳述する）を用いて、名刺情報管理サイト１０（図１）から取得して同様の記憶部に保管するものである。識別情報管理部２２０ｃは、受け取った名刺情報に関連する暗号化された防護識別情報を保管管理するものである。この暗号化された防護識別情報は、後に詳述するように、詳細情報を新規に取得するのに用いられ、さらに、名刺情報および詳細情報の更新に関する情報を取得するために用いられてもよい。名刺／詳細情報管理部２２０ｄは、名刺情報および詳細情報を管理するものである。名刺画像赤外線送信部２２０ｅは自己の名刺画像を他の携帯電話機２０に赤外線通信で送信するものである。
【００３５】
つぎに実施例の動作について説明する。
【００３６】
まず、名刺作成処理について説明する。この処理は、携帯電話機２０からの入力に基づいて主に名刺情報管理サイト１０のプログラム（例えば、ウェブページ１０１ａにインタープリタ言語で記述されたプログラム等）により実行される。
【００３７】
図５は、名刺作成側の携帯電話機２０および名刺情報管理サイト１０で実行される処理をフローチャートで示しており、図６および図７はこの処理を模式的に示している。
【００３８】
図６および図７に示すように、ユーザは名刺情報管理サイト１０のウェブページ１０１ａにアクセスして以下のように画面に則して名刺を作成する。
（ａ）メニュー画面：この画面で「すぐ作成」を選択して名刺（詳細ページ）の作成を開始する。この画面では、その他として、名刺帳アプリケーションのダウンロード（「名刺帳アプリＤＬ」）、名刺の配布（「名刺を送る」）、各種の設定（「設定」）を開始することができる。
（ｂ）台紙ジャンルの選択画面：希望の台紙ジャンル（台紙のグループ）を選択する。
（ｃ）台紙の選択画面：選択した台紙ジャンルから１の台紙を選択する。
（ｄ）台紙の確認画面：台紙の確認を行う。選択肢直す場合にはもとに戻る。
（ｅ）詳細ページの情報（氏名等の名刺の必須またはオプションの項目に関する基本情報を含む）の入力フォーム画面：入力フォームを用いて詳細ページ（基本情報を含む）を入力する。
（ｆ）入力情報の送信画面：入力情報を確認して名刺情報管理サイト１０に送信する。修正ボタンを押して元に戻り修正することができる。
（ｇ）名刺作成完了画面：選択した台紙および入力した詳細ページの情報（基本情報を含む）に基づいて名刺および詳細ページが名刺情報管理サイト１０で生成され、名刺情報管理サイト１０から携帯電話機２０に名刺作成完了が通知される。「名刺を確認する」を指定すると、名刺情報および詳細ページが送られてきて図８に示すようにページおよび詳細ページがそれぞれ表示される。
【００３９】
図８に示すように、名刺は、「恋人」、「仕事」、「友達」、「自分」、「未分類」等で分類されている。名刺は典型的にはＧＩＦ等の画像であり、この画像のデータ中に、詳細情報を識別するための防護識別情報が暗号化されて埋め込まれている。「全画面」は名刺を全画面で表示するものである。詳細ページは名刺関連付けられた詳細な情報がマークアップ言語の記述されている。ブログアドレスやメールアドレスや電話番号、所定のウェブページへのリンクが設けられている。詳細ページには、作成時に入力した情報のみでなく、その属性に関連して生成された、占い、相性、天候、交通情報等が付加されても良い。名刺は画像でなく、マークアップ言語で記述されたものでもよい。
【００４０】
名刺作成の処理の具体例は図５に示すとおりである。
［ステップＳ１０］：（携帯電話機）アプリケーションを起動する。
［ステップＳ１１］：（携帯電話機）画面（ａ）で名刺作成処理（「すぐ作成」）を選択する。
［ステップＳ１２］：携帯電話機から管理サイトに台紙ジャンル選択ページの送信を要求する。
［ステップＳ１３］：管理サイトから携帯電話機に台紙ジャンル選択ページを送信する。
［ステップＳ１４］：（携帯電話機）台紙ジャンルを選択する。
［ステップＳ１５］：携帯電話機から管理サイトに台紙選択ページの送信を要求する。
［ステップＳ１６］：管理サイトから携帯電話機に台紙選択ページを送信する。
［ステップＳ１７］：（携帯電話機）台紙を選択する。
［ステップＳ１８］：台紙の選択情報を携帯電話機から管理サイトに送信する。
［ステップＳ１９］：（管理サイト）選択された台紙画像を取り出す。
［ステップＳ２０］：台紙付きの入力フォームを管理サイトから携帯電話機に送信する。
［ステップＳ２１］：（携帯電話機）入力フォームに入力を行う。
［ステップＳ２２］：入力フォームを用いて詳細情報を携帯電話機から管理サイトに送信する。
［ステップＳ２３］：（管理サイト）名刺情報（画像）および詳細ページを作成する。
［ステップＳ２４］：（管理サイト）詳細情報に割り当てられる一意の防護識別情報を生成して暗号化し、名刺画像に埋め込む。
［ステップＳ２５］：管理サイトから携帯電話機に名刺画像／詳細ページを送信する。
［ステップＳ２６］：携帯電話機で確認を行う。
［ステップＳ２７］：（携帯電話機）名刺画像／詳細ページを保存して処理を終了する。
［ステップＳ２８］：（管理サイト）名刺情報エントリを作成して保存して処理を終了する。
【００４１】
つぎに名刺配布処理について説明する。名刺配布処理は、電子メールを用いて行うものと赤外線通信を用いて行うものとがある。
【００４２】
図９は、電子メールを用いて名刺配布処理を行う処理例をフローチャートで示し、図１０は、赤外線通信を用いて名刺配布処理を行う処理例をフローチャートで示し、図１１および図１２はこれら名刺配布処理を携帯電話機の画面表示例を用いて模式的に示す。
【００４３】
図１１および図１２に示すように、ユーザは名刺帳アプリケーションを起動して以下のように画面に則して名刺を配布する。なお、図６のウェブページの画面（ａ）で「名刺を送る」を選択しても同様に名刺を配布することができる。
（ａ）名刺帳アプリケーション起動画面：名刺帳アプリケーションを選択すると名刺帳アプリケーション起動画面が表示される。
（ｂ）トップ画面：名刺が表示される。「仕事」、「友達」等のタブに割り当てられた数字や送りボタンを押して名刺を選択表示できる。決定ボタンｘを押すと詳細ページが表示される。メニューボタンを押すと「赤外線送信」、「メール送信」、「分類の変更」の各処理に進むことができる。
（ｃ）赤外線送信画面：自分の携帯電話機および相手側の携帯電話機の赤外線ポートを近づけて名刺画像を送信する。
（ｄ）相手側の赤外線受信画面：配布先では受信完了後に保存する。この時点で、配布先の名刺帳アプリケーションが起動する。
（ｅ）相手側の保存終了表示画面：名刺画像が保存される。この後、適宜に、名刺画像から暗号化された防護識別情報が抽出されてこれを利用して名刺情報管理サイトから詳細ページを受け取る。名刺情報管理サイト１０は、暗号化された防護識別情報を復号して正規の防護識別情報を取得してこれに基づいて詳細ページを取り出してユーザに送信する。防護識別情報の暗号化・復号には、慣用暗号、例えば、ＡＥＳ（１２８ビット）アルゴリズムを採用できる。
（ｆ）メール送信画面：配布先のメールアドレスを入力し、公開レベル（「恋人」、「仕事」、「友達」）をオプションで選択して名刺配布用のメールを作成する。
（ｇ）送信されたメール：送信されたメールは、名刺画像を取り出すＵＲＬを含む。ＵＲＬの例は、図１３（ａ）に示すようなものである。「ｈｔｔｐ：／／」はプロトコルを示し、「ａｂｃ．ｄｅｆ．ｊｐ／ｇｈｉ／ｒｅｃｅｉｖｅ．ｐｈｐ」はプログラムのアドレスを示し、「ｕｉｄ＝ＮＵＬＬＧＷＤＯＣＯＭＯ」および「ｋｅｙ＝ＩＬ８％７Ｅ％１８％３Ｂ％Ａ０％ＣＢ％Ａ７％３ＤＳ％１７＋Ｏ５％Ａ２ｇ％Ａ２％ＣＣ％９Ｄ％ＥＡＯ％６０％ＣＣ％０Ｃ％９３％９０％２ＦＡ９％Ｂ２％６０％８３％９８３７％２Ｂ％１Ｂ％Ｄ０％ＦＤ％２７％Ｅ２％ＤＤＵ％９Ｂ％７Ｂ％Ｄ２％９２」は引数を表す。「ｕｉｄ＝ＮＵＬＬＧＷＤＯＣＯＭＯ」は、移動体電話センタ５０のゲートウェイ５０１を介して転送されるときに、移動体電話網運営会社の「ユーザＩＤ」に変換される。「ｋｅｙ」は名刺ＩＤ、配布先のメールアドレス、公開レベルを連結したものを暗号化したのちにＵＲＬエンコードしたものである。暗号化には、慣用暗号、例えば、ＡＥＳ（１２８ビット）アルゴリズムを採用できる。
（ｈ）名刺配布メール受信画面（図１２）：メールを受け取ったユーザはＵＲＬを指定して名刺情報管理サイト１０から名刺画像を取得できる。名刺情報管理サイト１０は、「ｋｅｙ」を復号して、名刺ＩＤ、メールアドレス、公開レベルを取り出し、名刺ＩＤから対応する名刺画像を取り出してユーザに送信する。ユーザは名刺画像を受け取り、これを保存し、さらに、名刺画像から暗号化された防護識別情報を抽出し、これを用いて名刺情報管理サイト１０から詳細ページを取得する。名刺情報管理サイト１０は、暗号化された防護識別情報を復号して正規の防護識別情報を取得してこれに基づいて詳細ページを取り出してユーザに送信する。
【００４４】
図１２の画面（ｈ）の受信メールは他に転送可能であり、名刺を配布した者が意図しないユーザが、当該ＵＲＬを用いて名刺画像、および詳細情報を取得するおそれがある。この実施例では、名刺配布（取得）時に配布情報のエントリが生成され、配布先ユーザＩＤと配布先メールアドレスが関連付けられる。その後、他者が異なる携帯電話機を用いて転送メールのＵＲＬを指定して名刺を取得しようとすると、ユーザＩＤが異なるので、配布済み名刺として名刺取得を拒否することができる。配布メールを多くの者に転送して多くの者が名刺を取得することが好ましい場合には名刺取得を拒否しなくても良い。なお、名刺画像および詳細ページは転送禁止に適宜に設定することが好ましい。赤外線通信による名刺配布では、名刺配布メールの転送の問題がないので、メールアドレスを用いた管理を行う必要がない。もちろん、名刺画像および詳細ページは適宜に転送禁止に設定することが好ましい。
【００４５】
電子メールによる名刺配布の処理の具体例は図９に示すとおりである。
［ステップＳ３０］：（配布元）アプリケーションを起動する。
［ステップＳ３１］：（配布元）電子メールによる配布を選択して配布先のメールアドレスを入力する。
［ステップＳ３２］：配布元携帯電話機から管理サイトへ配布メール送信要求を送る。その後、処理を終了する。
［ステップＳ３３］：（管理サイト）配布メール（図１１（ｇ））を作成する。
［ステップＳ３４］：管理サイトのメールクライアントサービス（図示しない）が配布先携帯電話機へ配布メールを送信する。
［ステップＳ３５］：（配布先）配布メール（図１２（ｈ））を受信する。
［ステップＳ３６］：配布先携帯電話機が管理サイトにＵＲＬを指定した配布要求を送信する。
［ステップＳ３７］：（管理サイト）ＵＲＬの引数の「ｋｅｙ」を復号して、名刺アドレス、メールアドレス、公開レベルを切り出す。メールアドレスを用いて多重配布をチェックする。すなわち、名刺ＩＤおよびメールアドレスが同じ配布情報のエントリが配布情報データベース１０８にあるかどうかを調べ、あるときに、そのユーザＩＤが、今回の引数の「ｕｉｄ」（ユーザＩＤ）と異なる場合には多重配布として配布を拒否する。
［ステップＳ３８］：（管理サイト）名刺ＩＤを用いて対応する名刺画像を取り出す。
［ステップＳ３９］：管理サイトから配布先携帯電話機に名刺画像を送信する。
［ステップＳ４０］：（配布先）名刺帳アプリケーションを起動する。
［ステップＳ４１］：（配布先）暗号化防護識別情報を名刺画像から抽出する。
［ステップＳ４２］：配布先携帯電話機が管理サイトに暗号化防護識別情報を引数として詳細ページ送信要求を行う。
［ステップＳ４３］：（管理サイト）暗号化防護識別情報を復号して詳細ページを取り出す。
［ステップＳ４４］：管理サイトから配布先携帯電話に詳細ページを送信する。
［ステップＳ４５］：（配布先）名刺画像および詳細ページを保存して処理を終了する。
［ステップＳ４６］：（管理サイト）配布情報エントリを作成して配布情報データベース１０８に保存して処理を終了する。
【００４６】
赤外線通信による名刺配布の処理の具体例は図１０に示すとおりである。
［ステップＳ５０］：（配布元）アプリケーションを起動する。
［ステップＳ５１］：（配布元）赤外線通信による配布を選択する。
［ステップＳ５２］：配布元携帯電話機から配布先携帯電話機に赤外線通信で名刺画像を送信する。配布元携帯電話機は、その後、処理を終了する。
［ステップＳ５３］：（配布先）名刺帳アプリケーションを起動する。
［ステップＳ５４］：（配布先）暗号化防護識別情報を名刺画像から抽出する。
［ステップＳ５５］：配布先携帯電話機が管理サイトに暗号化防護識別情報を引数として詳細ページ送信要求を行う。
［ステップＳ５６］：（管理サイト）暗号化防護識別情報を復号して詳細ページを取り出す。
［ステップＳ５７］：管理サイトから配布先携帯電話に詳細ページを送信する。
［ステップＳ５８］：（配布先）名刺画像および詳細ページを保存して処理を終了する。
［ステップＳ５９］：（管理サイト）配布情報エントリを作成して配布情報データベース１０８に保存して処理を終了する。
【００４７】
詳細ページの内容は、公開レベルや、配布先のユーザの属性（たとえばディレクトリサービスを利用できる）に応じて、可変にできる。典型的には、公開レベルや配布先のユーザの属性に応じて、開示項目、リンク先、ブログアドレス、その他、付加情報、たとえば、占い、相性、交通情報等を含ませてよい。
【００４８】
図１４は更新情報を取り出す処理を示す。更新情報を取り出す際には携帯電話機２０から暗号化された防護識別情報をキーに更新の有無を問い合わせる。名刺情報管理サイト１０は暗号化された防護識別情報を復号してこれをキーにして例えば名刺情報データベース１０７（図３では防護識別情報を図示していないが項目として含まれる）をアクセスして更新情報があれば携帯電話機２０に返す。ユーザＩＤ（例えばｉｄ＝ＮＵＬＬＧＷＤＯＣＯＭＯを引数とする）をキーとして例えば名刺情報データベース１０７（図３）および配布情報データベース１０８（図３）をアクセスして当該ユーザに配布されたすべての名刺について更新情報を調べても良い。名刺を配布された携帯電話機２０に名刺ＩＤ（暗号文または平文）を保持管理してこれをキーとして名刺情報管理サイト１０に更新情報を問い合わせても良い。
【００４９】
詳細ページを特定するための防護識別情報は、一意に特定できるものであればどのようなものでもよく、連続番号、汎用一意識別子（ＵＵＩＤ）、グローバル一意識別子（ＧＵＩＤ）等であってよいがこれに限定されない。詳細ページを特定するための防護識別情報は暗号化された後、名刺画像に埋め込まれるが、所定の埋め込みパターンに従って埋め込むことができる。先頭や最後の１または複数の画素の行や、画素の列に配置しても良い。電子すかしの手法を用いても良い。名刺情報は名刺画像でなく、テキストや、マークアップ言語で記述された文書であってもよい。この文書中に暗号化された防護識別情報を埋め込んでよい。
【００５０】
以上で実施例の説明を終了する。
【００５１】
なお、この発明は上述の実施例に限定されることなく、その趣旨を逸脱しない範囲で種々変更が可能である。
【００５２】
例えば、名刺ＩＤごとに防護識別情報を割り当てても良いし、複数の名刺ＩＤに１つの防護識別情報を割り当てても良い。名刺ＩＤが秘密裏に管理される場合には、名刺ＩＤを防護識別情報としても良い。
【００５３】
また、赤外線通信で名刺情報を取得するためのＵＲＬを含む情報を配布元携帯電話機から配布先携帯電話機に送信しても良い。また名刺情報管理サイト１０または配布元の携帯電話機２０から配布先の携帯電話機２０に電子メールで名刺画像を添付送信するようにしてもよい。名刺情報管理サイト１０のウェブページから名刺を指定してダウンロードしてもよい。名刺がダウンロードされたのちに詳細ページも適宜にダウンロードされる。店舗情報、有料コンテンツの講読用の名刺等にはこの配布手法が好ましい。名刺のダウンンロードまたはその後に課金手続を行うことが好ましい。名刺情報等の閲覧情報は典型的には画像情報であるけれども、オーオディオファイルであってもよい。オーディオファイルに防護識別情報を含ませて詳細ページを取り出すようにしても良い。逆に、画像データや詳細ページに防護識別情報を含ませてオーディオファイルを取り出すようにしても良い。
【００５４】
また上述実施例では、携帯電話機を例に挙げて説明したが、パーソナルコンピュータ、携帯型ゲーム機、テレビゲーム機、電子辞書、携帯情報機器、電子カメラ、デジタルフォトフレーム、テレビジョン受像機、その他の電子機器にも同様に適用できる。
【符号の説明】
【００５５】
１０      名刺情報管理サイト
２０      携帯電話機
３０      インターネット
５０      移動体電話センタ
１０１      ウェブサーバ
１０１ａ      ウェブページ
１０２      アプリケーションサーバ
１０２ａ      配布要求処理部
１０２ｂ      名刺情報登録部
１０２ｃ      配布情報登録部
１０３      データベース管理システム
１０４      閲覧情報保存サーバ
１０５      ルータ
１０７      名刺情報データベース
１０８      配布情報データベース
２２０ａ      名刺取得部
２２０ｂ      詳細情報取得部
２２０ｃ      識別情報管理部
２２０ｄ      名刺／詳細情報管理部
２２０ｅ      名刺画像赤外線送信部
５０１      ゲートウェイ
【図１】
2011060200.tif 000003
【図２】
2011060200.tif 000004
【図３】
2011060200.tif 000005
【図４】
2011060200.tif 000006
【図５】
2011060200.tif 000007
【図９】
2011060200.tif 000008
【図１０】
2011060200.tif 000009
【図１２】
2011060200.tif 000010
【図１３】
2011060200.tif 000011
【図６】
2011060200.tif 000012
【図７】
2011060200.tif 000013
【図８】
2011060200.tif 000014
【図１１】
2011060200.tif 000015
【図１４】
2011060200.tif 000016